(57)【要約】      （修正有）【課題】従来のプラスチック製ファンの欠点を改善するタイヤ型電動ファンを提供する。【解決手段】回転作用を提供する羽根１と伝動モーターがファン外枠２の内部に設置され、さらに、複数の弾性はめ込みカバー３が、それぞれファン外枠２の周辺に設置されて結合して一体となる。弾性はめ込みカバー３はいずれも、表面に複数の浅い溝３１を有する。また、ファン外枠２後端に後部防護ネット片４が設置され、前端に回転盤５が設置されることで、伝動モーター軸６と組み合わされて回転し、回転盤５前方にさらに前部防護ネット片７が設置される。このように、ファン外枠２全体が複数の弾性はめ込みカバー３が組み合わされることで、車用タイヤホール型の外観を形成して、弾性はめ込みカバー３自身の材質が有する弾力性に覆われることにより、衝突による電動ファンの損傷を回避して保護する効果を達成する。【選択図】図１
0003198494.tif 000002
【実用新案登録請求の範囲】
【請求項１】
回転作用を提供する羽根と伝動モーターが、車用タイヤホイール型のファン外枠内部に設置された後、さらに、複数の弾性はめ込みカバーが、それぞれファン外枠の周辺に設置されて結合して一体となり、弾性はめ込みカバーは、いずれも弾力性を有する材質によって製作され、表面に複数の浅い溝を有し、また、ファン外枠後端には、後部防護ネット片、前端には回転盤が設置され、伝動モーターが延伸した伝動モーター軸によって組み立てられて回転し、回転盤前方には、さらに、前部防護ネット片が設置され、ファン外枠が複数の弾性はめ込みカバーが組み合わされることで、車用タイヤの外観を形成し、弾性はめ込みカバー自身の材質が有する弾力性に覆われて、衝突時の衝撃による破損を回避し、保護する効果を達成することを特徴とするタイヤ型電動ファン。
【請求項２】
ファン外枠は、車用タイヤホイール型を呈することを特徴とする請求項１に記載のタイヤ型電動ファン。
【請求項３】
ファン外枠周辺に結合される弾性はめ込みカバーは、複数の形態で組み合わされることを特徴とする請求項１に記載のタイヤ型電動ファン。
【請求項４】
前部防護ネット片は、外観の異なる形態で組み合わされることを特徴とする請求項１に記載のタイヤ型電動ファン。
【考案の詳細な説明】
【技術分野】
【０００１】
本考案は、タイヤ型電動ファンに関し、回転作用を提供する羽根と伝動モーターが車のタイヤホイール型のファン外枠内部に設置され、さらに、複数の弾性はめ込みカバーがそれぞれファン外枠の周辺に取り付けられて一体になることで自動車用タイヤの外観を形成して、弾性はめ込みカバー自身の材質が有する弾力性に覆われて、衝突により破損するのを回避する効果を達成するタイヤ型電動ファンに関する。
【背景技術】
【０００２】
現行の電動ファンの多くは、羽根が回転することで風を発生させて風を送るタイプのものである。タイマー機能や異なる風向きに調整できるほか、風の温度を下げたり、リモコンによる操作が可能なものもある。さらには、複数のファンがそれぞれ異なる風向きを構成するタイプのものまである。しかしながら、やはり「首振り型」と「箱型」のファンが最も一般的である。
【０００３】
箱型のファンの場合で言えば、そのファンの外枠は全体的にプラスチック材質のものが多く、その理由は、まずファン全体の重量を軽く抑えること、次に、量産がしやすいこと、そして、デザインの変化が容易であることが挙げられ、これこそが、プラスチック材質を採用するメリットであると言える。
【０００４】
しかしながら、逆に、プラスチック材質により生産されることの欠点もある。不注意で前記ファンに衝突し、倒したり、落下させたりした場合、容易にハウジングが破損したり、内部機械が故障したりする。
【考案の概要】
【考案が解決しようとする課題】
【０００５】
したがって、本考案は、従来のプラスチック製のファンの欠点を改善するファンを提供することを課題とする。
【課題を解決するための手段】
【０００６】
前記課題を解決するために、本考案は、従来のプラスチック製のファンの欠点を改善するファンを提供することを目的とする。
【０００７】
前記目的を達成するために、本考案のタイヤ型電動ファンは、回転作用を提供する羽根と伝動モーターがファン外枠の内部に設置され、さらに、複数の弾性はめ込みカバーが、それぞれファン外枠の周辺に設置されて結合して一体となることにより、車のタイヤホイール型の外観を形成することで、弾性はめ込みカバー自身が有する弾力性に覆われて、衝突により破損するのを回避する効果を達成することを特徴とする。
【０００８】
前記目的を達成するために、本考案のタイヤ型電動ファンは、弾力性を有する弾性はめ込みカバーによってファン外枠が覆われることで、衝突により破損するのを回避し、衝突した対象物も衝突時の衝撃が緩和されて破損や傷害が回避されるか、または、損傷の度合いが小さくてすむため、双方共に保護される目的を達成することを特徴とする。
【０００９】
前記目的を達成するために、本考案のタイヤ型電動ファンは、ファン外枠が車のタイヤホイール型であることを特徴とする。
【００１０】
前記目的を達成するために、本考案のタイヤ型電動ファンは、ファン外枠周辺に位置する複数の弾性はめ込みカバーが、弾力性を有する材質によって製作されて、表面に複数の浅い溝を有することを特徴とする。
【００１１】
前記目的を達成するために、本考案のタイヤ型電動ファンは、ファン外枠後端に後部防護ネット片が設置され、前端に回転盤が設置され、回転盤前方にさらに前部防護ネット片が設置されて、外部からの異物の進入を回避することを特徴とする。
【図面の簡単な説明】
【００１２】
【図１】本考案を示した図である。（その１）
【図２】本考案における前部保護ネット片を示した図である。（その１）
【図３】本考案が組み立てられた後の状態を示した図である。（その１）
【図４】本考案が組み立てられた後の状態を示した図である。（その２）
【図５】本考案の他の形態を示した図である。
【図６】本考案における前部保護ネット片を示した図である。（その２）
【図７】本考案における前部保護ネット片を示した図である。（その３）
【考案を実施するための形態】
【００１３】
まず、図１、図２を参照しながら説明する。本考案のタイヤ型電動ファンは、回転作用を提供する羽根１と伝動モーターが、車用タイヤホイール型のファン外枠２内部に設置された後、さらに、複数の弾性はめ込みカバー３が、それぞれファン外枠２の周辺に設置されて結合して一体となる。このうち、弾性はめ込みカバー３は、弾力性を有する材質によって製作されて、表面に複数の浅い溝３１を有する。また、ファン外枠２後端には、後部防護ネット片が、前端には回転盤５が設置されて、伝動モーターが延伸した伝動モーター軸６によって組み立てられて回転することで、放射状の送風作用を呈する。回転盤５前方には、さらに、前部防護ネット片７が設置される。前部防護ネット片７は、各種異なる様式の外観に変化させることが可能である（図６、図７に示したとおり）。
【００１４】
各弾性はめ込みカバー３は、それぞれファン外枠２の周辺に設置されて結合して一体となった後、さらに、後部防護ネット片４が、ファン外枠２後端に設置される（図４に示したとおり）。ファン外枠２前端に回転盤５が設置され、回転盤５前方に、さらに、前部防護ネット片７（図３に示したとおり）が設置されることにより、外部から異物が進入するのを回避する。
【００１５】
複数の弾性はめ込みカバー３がファン外枠２の組み立てられることにより、車用タイヤホイール型の外観が形成される。弾性はめ込みカバー３自身の材質が弾力性を有することで、衝突による電動ファンの損傷を回避すると同時に、衝突した対象物（例えば、人がファンに衝突したり、ファンと家具が衝突したりする場合）も衝突の衝撃が緩和されて、破損や傷害が回避されたり、損傷の程度が低くすむため、双方共に保護される目的を達成する。
【００１６】
さらに、各弾性はめ込みカバー３は、それぞれファン外枠２の周辺に設置されて結合して一体の形態となるが、弾性はめ込みカバー３は四枚（図１のとおり）、三枚、二枚（図５のとおり）及びその他の枚数を有する形態も可能であり、多様なバリエーションが可能である。
【符号の説明】
【００１７】
１    羽根
２    ファン外枠  
３    弾性はめ込みカバー
３１  浅い溝
４    後部防護ネット片
５    回転盤
６    伝動モーター軸
７    前部防護ネット片
【図１】
0003198494.tif 000003
【図２】
0003198494.tif 000004
【図３】
0003198494.tif 000005
【図４】
0003198494.tif 000006
【図５】
0003198494.tif 000007
【図６】
0003198494.tif 000008
【図７】
0003198494.tif 000009
【手続補正書】
【提出日】平成27年4月27日(2015.4.27)
【手続補正１】
【補正対象書類名】実用新案登録請求の範囲
【補正対象項目名】請求項３
【補正方法】変更
【補正の内容】
【請求項３】
ファン外枠周辺に結合される弾性はめ込みカバーは、複数の部品からなる形態であり、前記弾性はめ込みカバーは、複数の前記部品が組み合わされることにより形成されることを特徴とする請求項１に記載のタイヤ型電動ファン。
【手続補正２】
【補正対象書類名】実用新案登録請求の範囲
【補正対象項目名】請求項４
【補正方法】変更
【補正の内容】
【請求項４】
前部防護ネット片は、円形の外観を有し、異なる形態の骨組を有する前部防護ネットに変更することができることを特徴とする請求項１に記載のタイヤ型電動ファン。